(57)【要約】      （修正有）【課題】異なる外形寸法をもつ複数の容器を収納することができる容器収納装置を提供する。【解決手段】上板１１と、上板１１から下方へ延びる複数の容器収納部１２とを備えている。容器収納部１２は上端開口１２ａを有するとともに、下方へ向かって先細状となる側壁１３と、底板１４とを有している。容器収納部１２の側壁１３内面に、円周方向に延び、内径が変化する段部１７ａ，１７ｂが設けられ、この段部１７ａ，１７ｂにおいて容器底面を支持する。【選択図】図１
0003165786.tif 000002
【実用新案登録請求の範囲】
【請求項１】
異なる外形寸法をもつ複数の容器を収納可能な容器収納装置において、
上板と、
上端が開口するとともに、上板から下方へ延び、下方へ向かって先細状となる側壁と、底板とを有し、容器を収納する容器収納部とを備え、
容器収納部の側壁内面に、円周方向に延びるとともに、内径が変化する段部が形成され、当該段部によって容器底面を支持することを特徴とする容器収納装置。
【請求項２】
容器収納部の側壁内面に、容器外面の縦方向に延びる突出リブと係合する係合リブを縦方向に沿って設けたことを特徴とする請求項１記載の容器収納装置。
【考案の詳細な説明】
【技術分野】
【０００１】
本考案は、みそ汁、とん汁等の加熱された流動性食品が入った容器を収納して保持する容器収納装置に係り、とりわけ異なる外形寸法をもつ複数の容器を収納可能な容器収納装置に関する。
【背景技術】
【０００２】
従来より、みそ汁、とん汁等の加熱された流動性食品が入った容器を収納して保持する容器収納装置が用いられている。このような容器収納装置は、特定の外形寸法をもつ容器のみしか収納することができず、特定の外形をもつ容器毎に容器収納装置を準備する必要がある。
【０００３】
上述のように従来は、特定の外形寸法をもつ容器毎に、容器収納装置を準備する必要があり、とても煩雑であった。
【考案の概要】
【考案が解決しようとする課題】
【０００４】
本考案はこのような点を考慮してなされたものであり、異なる外形寸法をもつ複数の容器を収納することができ、容器毎に準備する必要のない容器収納装置を提供することを目的とする。
【課題を解決するための手段】
【０００５】
本考案は、異なる外形寸法をもつ複数の容器を収納可能な容器収納装置において、上板と、上端が開口するとともに、上板から下方へ延び、下方へ向かって先細状となる側壁と、底板とを有し、容器を収納する容器収納部とを備え、容器収納部の側壁内面に、円周方向に延びるとともに、内径が変化する段部が形成され、当該段部によって容器底面を支持することを特徴とする容器収納装置である。
【０００６】
本考案は、容器収納部の側壁内面に、容器外面の縦方向に延びる突出リブと係合する係合リブを縦方向に沿って設けたことを特徴とする容器収納装置である。
【考案の効果】
【０００７】
以上のように本考案によれば、容器収納部内に小さな外形寸法をもつ容器を収納した場合、容器収納部の底板によって容器底面を支持する。容器収納部内に大きな外形寸法をもつ容器を収納した場合、容器収納部の側壁内面の段部によって容器底面を支持する。このように異なる外形寸法をもつ容器を容器収納部内に容易かつ確実に収納して保持することができる。
【図面の簡単な説明】
【０００８】
【図１】図１は本考案による容器収納装置を示す斜視図。
【図２】図２は容器を収納した状態を示す容器収納装置の側面図。
【図３】図３は容器収納装置に収納される容器を示す図。
【考案を実施するための形態】
【０００９】
以下、図面を参照して本考案の実施の形態について説明する。
【００１０】
図１乃至図３は、本考案による容器収納装置の一実施の形態を示す図であって、このうち図１は容器収納装置を示す斜視図、図２は容器を収納した状態を示す容器収納装置の側面図、図３は容器収納装置内に収納される容器を示す図である。
【００１１】
まず、図３により、本考案による容器収納装置１０内に収納される容器１について述べる。
【００１２】
図３に示すように、容器１はみそ汁、とん汁等の加熱された流動性食品を収納するものであり、流動性食品を収納するとともに底面４を有する容器本体２と、容器本体２を覆う蓋体３とを備えている。そして、容器本体２の外面に縦方向に延びる複数の突出リブ５が設けられている。
【００１３】
このような容器１として、異なる外形寸法をもつ複数のものが準備される。
【００１４】
次に容器１を収納する容器収納装置１０について説明する。
【００１５】
図１および図２に示すように、容器収納装置１０は全体として合成樹脂製となっており、上板１１と、上板１１に設けられた複数、例えば４個の容器収納部１２とを備えている。
【００１６】
このうち、各容器収納部１２は上端開口１２ａを有している。また各容器収納部１２は、上板１１から下方へ延びるとともに、下方へ向かって先細状となる側壁１３と、底板１４とを有し、側壁１３内に円周方向に延びる２つの段部１７ａ，１７ｂが形成されている。
【００１７】
この段部１７ａ，１７ｂは、その上方の側壁１３の内径と下方の側壁１３の内径が変化する部分であり、段部１７ａ，１７ｂによって容器１の底面４を支持するようになっている。
【００１８】
また図１および図２に示すように、容器収納部１２の側壁１３内面に、容器１の外面の突出リブ５に係合して容器１をスムーズに容器収納部１２内に案内する係合リブ１５が設けられている。
【００１９】
また上板１１には、容器収納部１２を囲むフランジ部１１ａと、フランジ部１１ａより下方へ落ち込む落ち込み部１１ｂが形成され、容器１から漏れた食品が、この落ち込み部１１ｂ内にたまり、外方へ流出しないようになっている。
【００２０】
次にこのような構成からなる本実施の形態の作用について説明する。
【００２１】
まず、図３に示すように、容器本体２内にみそ汁、とん汁等の加熱された流動性食品が収納され、容器本体２の上部に蓋体３が装着され、このようにして予め内容物が充てんされた容器１が準備される。
【００２２】
このような容器１は、各々異なる外形寸法をもつ。
【００２３】
次に容器１は、容器収納装置１０の容器収納部１２内に収納される。容器１が小さな外形寸法をもつ場合、容器１を容器収納部１２内に収納したとき、容器１は容器収納部１２の底板１４まで達し、この底板１４により容器１の底面４が支持される（図２の２点鎖線位置１Ａ）。
【００２４】
他方、容器１が大きな外形寸法をもつ場合、容器１を容器収納部１２内に収納したとき、容器１の底面４は上方の段部１７ａにより支持される（図２の２点鎖線位置１Ｂ）。
【００２５】
また容器１が中程度の外形寸法をもつ場合、容器１を容器収納部１２内に収納したとき、容器１の底面４は下方の段部１７ｂにより支持される。
【００２６】
ところで、上述のように容器収納部１２の側壁１３内面に、容器１の外面に設けられた突出リブ５に係合する係合リブ１５が設けられているので、この係合リブ１５に突出リブ５を係合させることにより、容器１を容器収納部１２内にスムーズに案内することができる。
【００２７】
この場合、容器１の突出リブ５と容器収納部１２の係合リブ１５とが係合することにより、容器収納部１２内で容器１を回転方向に規制して容器収納部１２内で容器１を堅固に保持することができる。
【００２８】
以上のように本実施の形態によれば、容器収納部１２内に異なる外形寸法をもつ容器１を収納した場合、小さな外形寸法をもつ容器１は容器収納部１２の底板１４まで達し、この容器１の底面４は容器収納部１２の底板１４に支持される。
【００２９】
また大きな外形寸法をもつ容器１あるいは中程度の外形寸法をもつ容器１は、容器収納部１２の底板１４まで達することなく、容器１の底面４が容器収納部１２の段部１７ａ，１７ｂに支持される。このように異なる外形寸法をもつ容器１に対して、それぞれ容器収納装置１０を準備することなく、容器収納装置１０の容器収納部１２内に各々の容器１を収納して保持することができる。
【符号の説明】
【００３０】
１  容器
２  容器本体
３  蓋体
４  底面
１０  容器収納装置
１１  上板
１２  容器収納部
１３  側壁
１４  底板
１５  係合リブ
１７ａ，１７ｂ  段部
【図１】
0003165786.tif 000003
【図２】
0003165786.tif 000004
【図３】
0003165786.tif 000005